【事件の表示】
　平成１０年特許願第１８３０２４号「画像データ検索システム、画像データ検索方法およびプログラム記録媒体」拒絶査定不服審判事件〔平成１２年　１月２１日出願公開、特開２０００−　２０５３２、請求項の数（８）〕について、次のとおり審決する。
【結　論】
　原査定を取り消す。
　本願の発明は、特許すべきものとする。
【理　由】
１．手続の経緯
　本願は、平成１０年６月２９日の出願であって、平成１５年６月３日付で拒絶査定がなされ、同年７月７日に拒絶査定に対する不服審判が請求されるとともに、同年８月６日付で手続補正がなされた。
　これに対して、当審において、当該手続補正が平成１８年６月２２日付の補正却下の決定により却下された後、同年７月１２日付で拒絶理由が通知され、同年９月１２日付で手続補正がなされたものである。
　
２．本願発明
　本願の請求項１乃至８に係る発明（以下、「本願発明」という。）は、平成１８年９月１２日付の手続補正書により補正された明細書及び図面の記載からみて、その特許請求の範囲の請求項１乃至８に記載された次のとおりのものである
「【請求項１】
　所定の順序の配列をなすように属性データに基づいて配列位置がそれぞれ定められた複数枚の画像の画像データを格納する記憶手段と、　
　中央部と、この中央部より面積が小さい少なくとも一対の周辺部とでなる複数の画像表示領域を有する画像データ表示部を含み、前記中央部の画像表示領域には前記画像データを縦方向と横方向とで相互にほぼ同じ倍率で表示し、前記周辺部の画像表示領域には前記中央部の画像表示領域に表示された画像データのそれぞれ前順序および後順序の前記画像データを縦方向と横方向とで相互に異なる倍率で表示する画像表示手段と、
　指定された画像データが前記画像表示手段の前記中央部の画像表示領域に表示されるように画像データの配列位置を指示する指示手段と、
　前記指示手段により前記配列位置が指示された場合に、前記中央部の画像表示領域に現に表示された画像データに切替えて前記指示された配列位置に対応する前記画像データが前記中央部の画像表示領域に表示される前に、前記現に表示された画像データの配列位置である現表示位置と前記指示された配列位置との間の配列位置に対応する前記画像データを、前記現表示位置と前記指示された配列位置との間に配列された前記画像データを所定の数量ずつ飛ばして前記中央部の画像表示領域に表示させる制御手段と、
を備える画像データ検索システム。
【請求項２】
　前記所定の数量は、前記現表示位置と前記指示された配列位置との間隔に比例した数量であることを特徴とする請求項１に記載の画像データ検索システム。
【請求項３】
　所定の順序の配列をなすように属性データに基づいて配列位置がそれぞれ定められた複数の画像データを格納する記憶手段と、
　中央部と、この中央部より面積が小さい少なくとも一対の周辺部とでなる複数の画像表示領域を有する画像データ表示部を含み、前記中央部の画像表示領域には前記画像データを縦方向と横方向とで相互にほぼ同じ倍率で表示し、前記周辺部の画像表示領域には前記中央部の画像表示領域に表示された画像データのそれぞれ前順序および後順序の前記画像データを縦方向と横方向とで相互に異なる倍率で表示する画像表示手段と、
　指定された画像データの画像が前記画像表示手段の前記中央部の画像表示領域に表示されるように画像データの配列位置を指示する指示手段と、を備え、
　前記指示手段により前記配列位置が指示された場合に、前記中央部の画像表示領域に現に表示された画像に切替えて前記指示された配列位置に対応する前記画像データの画像が前記中央部の画像表示領域に表示される前に、前記現に表示された画像データの配列位置である現表示位置と前記指示された配列位置との間の配列位置に対応する前記画像データを前記中央部の画像表示領域に表示させる制御手段と、
　を備え、
　前記制御手段は、前記指示された配列位置が現表示位置から所定数以上離隔しているときは前記指示された配列位置と前記現表示位置との間の配列位置を次表示位置として選択してこの次表示位置に対応する前記画像データを前記中央部の画像表示領域に表示する操作を前記次表示位置が前記指示された配列位置から前記所定数を下回る近接配列位置となるまで反復した後に、前記指示された配列位置に対応する前記画像データを前記中央部の画像表示領域に表示させる、
　画像データ検索システム。
【請求項４】
　前記画像データは、一枚の画像を分割した複数の部分でなる画像で構成され、各分割画像の前記画像データは、前記一枚の全体画像における位置を属性データとして有することを特徴とする請求項１乃至３のいずれかに記載の画像データ検索システム。
【請求項５】
　画像データと、前記画像データの属性に基づいて所定の規則性を有する順序に従った配列をなすように前記画像データのそれぞれについて決定された配列位置とを、前記配列位置と前記画像データとの対応関係とともに格納する記憶手段と、前記画像データを表示する画像データ表示部を有する画像表示手段と、前記対応関係に従って対応する前記画像データが前記画像データ表示部に表示されるように前記配列位置を指示する指示手段と、前記記憶手段と前記画像表示手段と前記指示手段とを制御する制御手段とを備える画像データ検索システムに用いられる画像検索方法において、
　前記画像データ表示部を中央部と、この中央部より面積が小さい少なくとも一対の周辺部とでなる複数の画像表示領域に分割し、前記中央部の画像表示領域には前記画像データを縦方向と横方向とで相互にほぼ同じ倍率で表示し、前記周辺部の画像表示領域には、前記中央部の画像表示領域に表示された画像データのそれぞれ前順序および後順序の前記画像データを縦方向と横方向とで相互に異なる倍率で前記表示手段により表示する手順と、
　前記指示手段により前記配列位置が指示された場合に、現に表示された画像データの配列位置である現表示位置と前記指示された配列位置との間に配列された前記画像データを所定の数量ずつ飛ばして前記現表示位置と前記指示された配列位置との間の配列位置に対応する前記画像データを前記中央部の画像表示領域に表示させた後に、前記指示された配列位置に対応する前記画像データを前記中央部の画像表示領域に前記制御手段により表示させる手順と、
を備える画像データ検索方法。
【請求項６】
　前記周辺部は、前記中央部から離隔するに従いさらに面積が小さくなる複数の領域にさらに分割され、
　前記画像データは、前記中央部の画像表示領域から離隔するに従い縦方向と横方向とで相互にさらに異なる倍率で表示されることを特徴とする請求項５に記載の画像データ検索方法。
【請求項７】
　画像データと、前記画像データの属性に基づいて所定の規則性を有する順序に従った配列をなすように前記画像データのそれぞれについて決定された配列位置とを、前記配列位置と前記画像データとの対応関係とともに格納する記憶手段と、前記画像データを表示する画像データ表示部を有する画像表示手段と、前記対応関係に従って対応する前記画像データが前記画像データ表示部に表示されるように前記配列位置を指示する指示手段と、前記記憶手段と前記画像表示手段と前記指示手段とを制御する制御手段とを備える画像データ検索システムに用いられる画像検索方法において、
　前記画像データ表示部を中央部と、この中央部より面積が小さい少なくとも一対の周辺部とでなる複数の画像表示領域に分割し、前記中央部の画像表示領域には前記画像データを縦方向と横方向とで相互にほぼ同じ倍率で表示し、前記周辺部の画像表示領域には、前記画像データを縦方向と横方向とで相互に異なる倍率で前記表示手段により表示する手順と、
　前記指示手段により前記配列位置が指示された場合に、現に表示された前記画像データに切替えて前記指示された配列位置の前記画像データを前記中央部の画像表示領域に表示させる前に、前記現に表示された画像データの配列位置である現表示位置と前記指示された配列位置との間の配列位置を次表示位置として選択し、前記現表示位置が前記指示された配列位置に近接する配列位置になるまで次表示位置に対応する前記画像データを前記中央部の画像表示領域に前記制御手段により表示させることを繰返す手順と、
　前記現表示位置が前記指示された配列位置に近接する配列位置になった場合に、前記指示された配列位置を次表示位置とみなしてこれに対応する前記画像データを前記中央部の画像表示領域に前記制御手段により表示させる手順と、
を備える画像データ検索方法。
【請求項８】
　請求項５乃至７のいずれかに記載の画像データ検索方法をコンピュータに実行させるためのプログラムを記録したコンピュータ読取り可能な媒体。」
　
３．当審の拒絶の理由
　当審の拒絶の理由は、概略、下記のとおりである。
　　　　記（当審の拒絶の理由）
　本件出願の請求項１〜４，７〜１１，１３，１４に係る発明は、その出願前日本国内において頒布された刊行物（刊行物一覧参照）に記載された発明に基づいて、その出願前にその発明の属する技術の分野における通常の知識を有する者が容易に発明をすることができたものであるから、特許法第２９条第２項の規定により特許を受けることができない。 
　　　　記 （刊行物一覧）
刊行物１：特公平１−３９１２９号公報
刊行物２：特開昭６２−８９１３０号公報
刊行物３：特開平９−９７２６８号公報
刊行物４：特開平９−９１１１６号公報
刊行物５：特開昭６２−５７０５７号公報
刊行物６：特開平２−３０７１６０号公報
　
４．当審の判断
（１）刊行物および刊行物記載事項
　当審の拒絶の理由に引用した刊行物１乃至６には、以下のことが開示されている。
［刊行物１］
　所定順序に配列した複数の画像を保持し、順次画像データを読み出す画像記憶部と、この画像記憶部から順次読み出された前記画像データを保持するメモリ部と、このメモリ部から読み出された前画像データを縦、または、横方向に縮小する画像縮小部と、前記メモリ部から読み出した画像データと前記画像縮小部からの縮小データとを組合わせ、１枚の表示画像を作成する画像組合せ部と、この画像組合せ部からの表示画像を表示する表示部とを備えたことを特徴とする画像表示装置。（特許請求の範囲）
［刊行物２］
　複数枚の画像を固有の画像番号で記憶する手段と、複数枚の画像を前記記憶手段から引き出して順次表示する手段を有する表示装置において、複数枚の画像を順次表示する際、前記画像一枚あたりの表示状態を制御する表示状態制御手段と、各画像の表示に同期した触覚的信号を伝える触覚的伝達手段を設けたこと特徴とする画像表示装置。（特許請求の範囲）
［刊行物３］
  複数の画像データからなる一連の画像データの内、画像データとその前後に続く画像データを１画面上に同時に表示し、画像データの表示を順次、移動させること。（請求項１，図２）
［刊行物４］
　図６のステップＳ６０１において、図４の４０１に表示されている２ページ（ページ２ｎ−１とページ２ｎとする）（ｎは任意の整数）の次の２ページ（ページ２ｎ＋１とページ２（ｎ＋１）とする）分のアイコン画像のデータを読み込む。ステップＳ６０２において、ページ２ｎのアイコン画像の圧縮を行う。ページアイコンの画像サイズは横をｘＳｉｚｅ、縦をｙＳｉｚｅとし、ページ２ｎのアイコン画像を横方向に圧縮し、縦ｙＳｉｚｅ、横ｋ（ｋ＝ｘＳｉｚｅ−ａ）（ａはｘＳｉｚｅ未満の整数）の圧縮アイコン画像にする。ステップＳ６０３において、ステップＳ６０２で作成されたページ２ｎの圧縮アイコン画像を図４−４０１のＢＯＯＫ型アイコンの領域内の座標（ｘ＋ｘＳｉｚｅ，ｙ）、座標（ｘ＋ｘＳｉｚｅ＋ｋ，ｙ）、座標（ｘ＋ｘＳｉｚｅ，ｙ＋ｙＳｉｚｅ）、座標（ｘ＋ｘＳｉｚｅ＋ｋ，ｙ＋ｙＳｉｚｅ）で区切られた矩形領域に図７の様に表示する。（第２７段落）
［刊行物５］
　電子化文書の全ページと現ページおよびその前後ページとをグラフにより表示したポインティングデバイス上で位置を指定することにより指定ページを表示させるページめくり装置。（特許請求の範囲、図３）　
［刊行物６］
　目標表示画面のページを指定する目標ページ指定手段により目標表示画面を指定し、現在の表示画面のページから前記目標表示画面までのページ数と現在のページ送り速度とに基づいてファジイ推論によりページ送りの速度を決定すること。（特許請求の範囲）
　
　また、参考とすべき刊行物として以下のとおりのものがある。
［刊行物７］特開平４−８６９５１号公報
　連続画像表示時に表示切換え速度を指定し、表示切換え速度に対応したページ飛ばし数で順次画像を表示する。（特許請求の範囲）　
［刊行物８］実願平２−１１８４５３号（実開平４−７４３５８号）のマイクロフィルム
　圧力情報を入力する入力手段から出力される圧力情報に応じて、ページ送りのページ数を決定し、ページを飛び表示させる情報検索装置。（実用新案登録請求の範囲）
（２）本願発明と刊行物１乃至８に記載された発明、との対比・検討
　刊行物１乃至４には、表示するページを指定すること、ページを飛ばし表示することについては何等記載されていない。
　刊行物５には、ページを指定し、指定されたページを表示させることが記載され、刊行物６には、ページを指定することとページ送りの速度をファジイ推論で変えることが記載されており、一方、刊行物７，８には、ページを飛ばし表示させることが記載されている。
　ここで、刊行物５，６、刊行物７，８の記載を検討すると、刊行物５に記載されているように、表示するページを指定した場合に、指定したページを直接表示すれば済むものであり、刊行物７，８に記載されている画像データを飛ばし表示するものと結びつける必然性はない。
　また、刊行物６に記載されているものは、すべてのページを順番に表示させるものであり、刊行物７に記載されてる表示切換え速度に対応してページ飛ばし数を変化させるものと組み合わせてたとしても、ページ飛ばし数を変化させながら表示するものが得られるだけである。
　
　したがって、上記刊行物１乃至８のいずれも、本願発明が備える下記の構成を開示しもしくは示唆するものではない。
　　　　記（本願発明が備える構成）
　指示手段により配列位置が指示された場合に、中央部の画像表示領域に現に表示された画像データに切替えて前記指示された配列位置に対応する前記画像データが前記中央部の画像表示領域に表示される前に、前記現に表示された画像データの配列位置である現表示位置と前記指示された配列位置との間の配列位置に対応する前記画像データを、前記現表示位置と前記指示された配列位置との間に配列された前記画像データを所定の数量ずつ飛ばして前記中央部の画像表示領域に表示させること。
　
　そして、本願発明は前記構成により、利用者に画像データの全体像を把握することができるようにし、指示された配列位置に対応する画像データに至る途中の画像データを所定の数量ずつ飛ばして前記中央部の画像表示領域に表示させることにより、新たな発見の機会を与えるとの効果を奏するものである。
　
　よって、本願発明は、上記刊行物１乃至８に記載された各発明に基づいて当業者が容易に発明をすることができたものであるということはできない。
　
５．むすび
　以上のとおりであるから、本願発明が特許法第２９条第２項の規定により特許を受けることができないものとする原査定の理由によっては本願を拒絶することはできない。 
　また、他に本願を拒絶すべき理由を発見しない。
　よって、結論のとおり審決する。